(57)【特許請求の範囲】
【請求項１】
第１の基板を有する金属製の第１の筐体と、第２の基板を有する第２の筐体と、前記第１および第２の基板を電気的に接続するフレキシブルプリント配線板と、前記第１の筐体および前記第２の筐体を折りたたみ可能とするヒンジと、を備えた折りたたみ型携帯端末機であって、
前記ヒンジは、前記第１の筐体に接続された金属製の第１のヒンジ部、および、前記第２の筐体に接続された第２のヒンジ部を備え、
前記第２の筐体における前記第１のヒンジ部に対向する位置に放電経路変更部を設け、該第２の筐体に設けられる該放電経路変更部は周囲の当該第２の筐体における表面とほぼ同じ高さとして形成され、該放電経路変更部を介して前記第１の筐体に帯電した電荷を放電するようにしたことを特徴とする折りたたみ型携帯端末機。
【請求項２】
請求項１に記載の折りたたみ型携帯端末機において、前記放電経路変更部は、金属よりなり前記第２の基板のアース部に電気的に接続された放電用導体部を備えることを特徴とする折りたたみ型携帯端末機。
【請求項３】
請求項１に記載の折りたたみ型携帯端末機において、前記第１のヒンジ部は、前記第１の筐体と一体的に形成されることを特徴とする折りたたみ型携帯端末機。
【請求項４】
請求項１に記載の折りたたみ型携帯端末機において、前記第１のヒンジ部は、前記第１および第２の筐体の回転軸に対して、前記第２のヒンジ部の両側を挟む２つの腕を備え、前記放電経路変更部は、前記第２の筐体における該第２のヒンジ部の２つの腕に対向する位置の一方または両方に設けられていることを特徴とする折りたたみ型携帯端末機。
【発明の詳細な説明】
【技術分野】
【０００１】
本発明は、折りたたみ型携帯端末機に関し、特に、静電気による誤動作や電気部品の破壊を防止する折りたたみ型携帯端末機に関する。
【背景技術】
【０００２】
従来、折りたたみ型携帯端末機、特に、折りたたみ型携帯電話機において、一般に、液晶ディスプレイ等の表示部を有する第１の筐体、および、テンキーや様々な機能ボタン等の入力部を有する第２の筐体は共に合成樹脂によってモールド成形されている。また、第１の筐体に収められた第１のプリント基板と、第２の筐体に収められた第２のプリント基板との間は、ＦＰＣ（Flexible Printed Circuit：フレキシブルプリント配線板）によって電気的に接続されている。そして、第１の筐体と第２の筐体とは、ヒンジを介して折りたたみ可能なように構成され、ＦＰＣはヒンジ軸に沿うように巻き付けて実装され、外部から見えないようになっている。
【０００３】
そして、従来、人体や着用している衣類に発生した静電気は、携帯電話機の筐体や筐体の表面カバーに帯電し易く、筐体や筐体の表面カバーを合成樹脂で形成する場合には、静電気が帯電し難い材料を使用し、或いは、内部の電気部品を静電気による放電破壊に耐えられるようにする工夫がなされている。なお、本明細書では、主として折りたたみ型携帯電話機を例として説明するが、折りたたみ型の電子辞書やＰＤＡ或いはノートパソコン等の折りたたみ型携帯端末機も同様である。
【０００４】
具体的に、静電気による電気回路の誤動作や電子部品の破壊を防止する操作入力部を備える携帯電話等の電子機器として、回路基板上に配置された操作入力部材であるボタンに静電気が放電されても、アース部と接触する導電性プレートがボタンの取り付けられる弾性体の台座の表面を覆うことにより、静電気を導電性プレートからアース部を通ってさらに放電されるものが提案されている（例えば、特許文献１参照）。
【０００５】
【特許文献１】特開２００５−３２４９５号公報
【発明の開示】
【発明が解決しようとする課題】
【０００６】
しかしながら、例えば、折りたたみ型携帯電話機において、ディスプレイを有する第１の筐体、および、入力部を有する第２の筐体が共に合成樹脂によってモールド成形されたものでは、筐体或いは筐体の表面カバーに帯電する静電気は、例えば、筐体にアース線を取り付けて内蔵するプリント基板のアース部に接続しても放電し難く、また、ＦＰＣに対しても放電し難い。
【０００７】
近年、折りたたみ型携帯端末機の落下や外部からの圧迫に対する耐力を向上させるために、ディスプレイを有する第１の筐体を、例えば、マグネシウム合金で構成することが考えられている。このとき、通常、第１の筐体に接続されるヒンジ部もマグネシウム合金として筐体と一体的に形成される。このとき、金属製の筐体に帯電した静電気は、例えば、近くを通るアース線や電位の低い信号線を含むＦＰＣに対して放電し易い。
【０００８】
さらに、例えば、折りたたみ型携帯電話機において、ディスプレイを有する第１の筐体およびヒンジ部を一体化してマグネシウム合金で形成し、入力部を有する第２の筐体の材料を合成樹脂とすると、ヒンジ部の端面からヒンジ軸に巻き付けたＦＰＣに対して放電が起こり易く、誤動作や電気部品の破壊の原因となる。
【０００９】
本発明は、上述した従来の課題に鑑み、金属製の筐体に帯電した静電気による誤動作や電気部品の破壊を防止した折りたたみ型携帯端末機の提供を目的とする。
【課題を解決するための手段】
【００１０】
本発明によれば、第１の基板を有する金属製の第１の筐体と、第２の基板を有する第２の筐体と、前記第１および第２の基板を電気的に接続するフレキシブルプリント配線板と、前記第１の筐体および前記第２の筐体を折りたたみ可能とするヒンジと、を備えた折りたたみ型携帯端末機であって、前記ヒンジは、前記第１の筐体に接続された金属製の第１のヒンジ部、および、前記第２の筐体に接続された第２のヒンジ部を備え、前記第２の筐体における前記第１のヒンジ部に対向する位置に放電経路変更部を設け、該第２の筐体に設けられる該放電経路変更部は周囲の当該第２の筐体における表面とほぼ同じ高さとして形成され、該放電経路変更部を介して前記第１の筐体に帯電した電荷を放電するようにしたことを特徴とする折りたたみ型携帯端末機が提供される。
【発明の効果】
【００１１】
本発明によれば、金属製の筐体に帯電した静電気による誤動作や電気部品の破壊を防止した折りたたみ型携帯端末機を提供することができる。
【発明を実施するための最良の形態】
【００１２】
以下、本発明に係る折りたたみ型携帯端末機の実施例を、添付図面を参照して詳述する。
【実施例】
【００１３】
図１は本発明に係る折りたたみ型携帯端末機の一実施例として折りたたみ型携帯電話機の一例を示す図である。図１において、参照符号１は第１の筐体、２は第２の筐体、３はヒンジ、４は表示部、５は入力部、６は受話部、７は送話部、そして、８は放電経路変更部を示している。
【００１４】
図１に示されるように、第１の筐体１は、例えば、マグネシウム合金で形成され、液晶ディスプレイ等の表示部４および受話部６を備えている。
【００１５】
第２の筐体２は、例えば、ＡＢＳ樹脂で形成され、テンキーや様々な機能ボタン等の入力部５および送話部７を備えている。そして、第１の筐体１と第２の筐体２とはヒンジ３によって折りたたみ可能として構成されている。
【００１６】
ここで、本実施例の折りたたみ型携帯電話機において、第２の筐体２におけるヒンジ３の近傍には、放電経路変更部８が設けられている。この放電経路変更部８は、例えば、金属板（板金部品）で形成された放電用導体部８１、および、ＡＢＳ樹脂で形成されたガイド部８２で構成され、放電用導体部８１の他端は、第２の筐体２に設けられた第２の基板（図示しない）のアース部に電気的に接続されている。
【００１７】
なお、ガイド部８２は、放電用導体部８１を保持するためのものである。また、放電用導体部８１を板金部品として形成することにより、低コストおよび大量生産に適合させることができる。或いは、放電用導体部８１は、例えば、放電に耐えるに十分な断面積をもった導電性皮膜で合成樹脂の外面を覆ったものとして構成することもできる。
【００１８】
実際の折りたたみ型携帯電話機において、例えば、第１の筐体１にはアンテナ等が内蔵され、また、第２の筐体２にはバッテリ等が内蔵されるが、説明を簡略化するために、省略されている。さらに、本発明は、折りたたみ型携帯電話機に限定されるものではなく、折りたたみ型の電子辞書やＰＤＡ或いはノートパソコン等の折りたたみ型携帯端末機に対しても同様に適用することができる。
【００１９】
図２は図１に示す折りたたみ型携帯電話機におけるヒンジ３を示す分解斜視図であり、図３は図１に示す折りたたみ型携帯電話機のＡ−Ａ’線に沿って切断した断面図である。なお、図３において、参照符号１０は第１の基板、１１は第１の内カバー、１２は第１の外カバー、１３は第２の基板、１４は第２の内カバー、そして、１５は第２の外カバーを示している。
【００２０】
図２に示されるように、ヒンジ３は、例えば、マグネシウム合金よりなる第１の筐体１と一体的に形成された第１のヒンジ部３２および３３、並びに、ＡＢＳ樹脂よりなる第２の筐体２と一体的に形成された第２のヒンジ部３１を備える。そして、これら第１および第２のヒンジ部の中心にＡＢＳ樹脂よりなるヒンジ軸３４を挿入することで、第１の筐体１と第２の筐体２を折りたたみ可能としている。
【００２１】
図３に示されるように、放電経路変更部８（放電用導体部８１およびガイド部８２）は、第１の筐体１のヒンジ部３２の下方に位置する第２の筐体２に埋め込まれている。本実施例において、放電用導体部８１は、Ｌ字型の板金部品により構成され、放電用導体部８１の一端は、第２の筐体２に設けられた第２の基板１３のアース部に電気的に接続され、また、放電用導体部８１の他端は、ガイド部８２の先端からは突出しない状態で、第１の筐体１の第１のヒンジ部３２に対向する位置に設けられている。
【００２２】
なお、第１の筐体１には、電気部品が搭載された第１の基板１０が設けられ、また、第２の筐体２には、電気部品が搭載された第２の基板１３が設けられており、これら第１の基板１０および第２の基板１３は、ＦＰＣ（フレキシブルプリント配線板）９により電気的に接続されている。ここで、電気部品としては、ＭＰＵやメモリ或いは各種ドライバＩＣ等を含む。
【００２３】
すなわち、例えば、ヒンジ軸３４の外周には、ＦＰＣ９が１回巻き付けられ、そのＦＰＣ９のさらに外側に第２の筐体２のヒンジ部３１が図２中のＸ方向に移動して覆うようになっている。なお、実際の組み立てにおいて、ＦＰＣ９は、例えば、第２の筐体２のヒンジ部３１の内壁に沿って巻き込まれた後、第１の筐体１のヒンジ部３２および３３を両端とし、それらの円筒状部材の中心軸を一致させた位置で、これらの中心軸方向にヒンジ軸３４を挿入する。
【００２４】
そして、ヒンジ軸３４の両端は、第１の筐体１のヒンジ部３２および３３内で、接着材或いはネジ止めされることになる。ここで、ＦＰＣ９は、展開図ＥＶに示されるように、ヒンジ軸３４に巻かれたとき、第１の筐体（第１の基板）側と第２の筐体（第２の基板）側で軸方向の位置がずれるようになっている。
【００２５】
ＦＰＣ９の第１の筐体１の出口の壁は、例えば、ＡＢＳ樹脂で形成され、ＦＰＣ９が第１の筐体１に接触し、或いは、第１の筐体１のヒンジ部３２および３３の端面に当たることがないように構成されている。また、一端が第１の筐体１に設けられた第１の基板に電気的に接続されたＦＰＣ９の他端は、図２中のＰの方向へ向かって第２の筐体２に設けられた第２の基板に延びて、この第２の基板と電気的に接続される。
【００２６】
さらに、図２中の参照符号Ｓは、従来の折りたたみ型携帯電話機において生じた第１の筐体１に帯電した静電気が第１のヒンジ部３２の端部からＦＰＣ９に放電する個所を示しているが、本実施例では、第１の筐体１に帯電した静電気は、第１のヒンジ部３２から金属板よりなる放電用導体部８１を介して第２の筐体２に設けられた第２の基板のアース部に抜けることになる。
【００２７】
本実施例の折りたたみ型携帯電話機では、第２の筐体２において、例えば、第１の筐体１と一体的に形成されたマグネシウム合金よりなる第１のヒンジ部３２に対向する位置にだけ放電経路変更部８が設けられている。そして、例えば、マグネシウム合金よりなる第１の筐体１に帯電した静電気（電荷）は、この放電経路変更部８の放電用導体部８１を介して、第２の筐体２における第２の基板のアース部へ放電され、これにより、アース線や電位の低い信号線を含むＦＰＣ９や基板への放電を回避して誤動作や基板上の電気部品の破壊を防ぐことができる。
【００２８】
ここで、第２の筐体２に設けられる放電経路変更部８は、例えば、周囲の第２の筐体２における表面とほぼ同じ高さとして形成されているが、放電用導体部８１はガイド部８２の先端より突出することなく、すなわち、ヒンジ軸３４を中心に回動する第１の筐体１の第１のヒンジ３２と接触して異音等を発生するのを防止しつつ、できるだけ接近するように構成されている。すなわち、この放電用導体部８１と第１のヒンジ３２との距離は、異音等の発生を防止するために接触することがないように、且つ、第１の筐体１に帯電した静電気を有効に放電用導体部８１に導くために可能な限り短くなるように設定される。
【００２９】
図４は図１に示す折りたたみ型携帯電話機の変形例を示す図である。
図４と図１との比較から明らかなように、本変形例の折りたたみ型携帯電話機は、第１の筐体１に設けられた第１のヒンジ部３２および３３の両方に対向する第２の筐体２に対してそれぞれ放電経路変更部８ａおよび８ｂを設け、金属製の第１の筐体１に帯電した静電気を、例えば、第１の筐体１と一体的に形成した第１のヒンジ部３２から放電経路変更部８ａの放電用導体部８１ａを介して放電すると共に、第１の筐体１と一体的に形成した第１のヒンジ部３３から放電経路変更部８ｂの放電用導体部８１ｂを介して放電するようになっている。
【００３０】
なお、放電経路変更部８ａおよび８ｂの構成、すなわち、放電用導体部８１ａおよび８１ｂ並びにガイド部８２ａおよび８２ｂの構成は、前述した放電経路変更部８（放電用導体部８１およびガイド部８２）と同様である。
【００３１】
以上において、第１の筐体１並びに第１のヒンジ部３２および３３は、例えば、マグネシウム合金で一体的に形成されるものを例として説明したが、これら第１の筐体および第１のヒンジ部は、例えば、合成樹脂で形成された表面に金属皮膜を形成したものであってもよく、さらに、第１の筐体および第１のヒンジ部は一体形成したものに限定されるものでもない。また、第２の筐体２としても、合成樹脂で形成されたものに限定されず、例えば、第２の筐体２も金属製の場合でも、本発明による効果は発揮される。さらに、第１の筐体の第１のヒンジ部および第２の筐体の第２のヒンジ部は、第１のヒンジ部が第２のヒンジ部の両側を挟む２つの腕を備えたものに限定されるものではなく、様々な形状のヒンジを有する折りたたみ型携帯端末機に対しても、本発明は同様に適用することができるのはいうまでもない。
【００３２】
このように、本発明は、少なくとも一方の筐体が金属製の折りたたみ型携帯端末機の静電気による誤動作や電気部品の破壊を防止することが可能である。なお、金属製の筐体としては、液晶ディスプレイ等の表示部が設けられている筐体に限定されるものではなく、テンキーや様々な機能ボタン等の入力部を有する筐体の場合も同様であり、少なくとも一方の筐体が金属製でありその筐体に帯電した静電気を、放電経路変更部を介して放電させるものであればよい。
【００３３】
（付記１）
第１の基板を有する金属製の第１の筐体、第２の基板を有する第２の筐体、並びに、前記第１および第２の基板を電気的に接続するフレキシブルプリント配線板を有するヒンジを備え、該ヒンジにより前記第１の筐体および前記第２の筐体を折りたたみ可能とした折りたたみ型携帯端末機であって、
前記ヒンジは、前記第１の筐体に接続された金属製の第１のヒンジ部、および、前記第２の筐体に接続された第２のヒンジ部を備え、
前記第２の筐体における前記第１のヒンジ部に対向する位置に放電経路変更部を設け、該放電経路変更部を介して前記第１の筐体に帯電した電荷を放電するようにしたことを特徴とする折りたたみ型携帯端末機。
【００３４】
（付記２）
付記１に記載の折りたたみ型携帯端末機において、前記放電経路変更部は、金属よりなり前記第２の基板のアース部に電気的に接続された放電用導体部を備えることを特徴とする折りたたみ型携帯端末機。
【００３５】
（付記３）
付記１に記載の折りたたみ型携帯端末機において、前記放電経路変更部は、導電性皮膜で合成樹脂の外面を覆い、該導電性皮膜を前記第２の基板のアース部に電気的に接続された放電用導体部を備えることを特徴とする折りたたみ型携帯端末機。
【００３６】
（付記４）
付記２または３に記載の折りたたみ型携帯端末機において、前記放電経路変更部は、さらに、前記放電用導体部を保持する絶縁性のガイド部を備えることを特徴とする折りたたみ型携帯端末機。
【００３７】
（付記５）
付記１に記載の折りたたみ型携帯端末機において、前記第１のヒンジ部は、前記第１の筐体と一体的に形成されることを特徴とする折りたたみ型携帯端末機。
【００３８】
（付記６）
付記５に記載の折りたたみ型携帯端末機において、前記第１のヒンジ部および前記第１の筐体は、マグネシウム合金によって一体的に形成されることを特徴とする折りたたみ型携帯端末機。
【００３９】
（付記７）
付記５に記載の折りたたみ型携帯端末機において、前記第１のヒンジ部および前記第１の筐体は、合成樹脂で形成された表面に設けられた金属皮膜を備えることを特徴とする折りたたみ型携帯端末機。
【００４０】
（付記８）
付記１に記載の折りたたみ型携帯端末機において、前記第２のヒンジ部は、前記第２の筐体と一体的に形成されることを特徴とする折りたたみ型携帯端末機。
【００４１】
（付記９）
付記１に記載の折りたたみ型携帯端末機において、前記第１の筐体は、ディスプレイを有し、且つ、前記第２の筐体は、入力部を有することを特徴とする折りたたみ型携帯端末機。
【００４２】
（付記１０）
付記１に記載の折りたたみ型携帯端末機において、前記第１のヒンジ部は、前記第１および第２の筐体の回転軸に対して、前記第２のヒンジ部の両側を挟む２つの腕を備え、前記放電経路変更部は、前記第２の筐体における該第２のヒンジ部の２つの腕に対向する位置の一方または両方に設けられていることを特徴とする折りたたみ型携帯端末機。
【産業上の利用可能性】
【００４３】
本発明は、折りたたみ型携帯電話機を始めとして様々な折りたたみ型携帯端末機に適用することができ、特に、折りたたむ一方または両方の筐体が金属製の型携帯端末機に対して効果的に適用することができ、その金属製の筐体に帯電した静電気を有効に放電させることで静電気による誤動作や電気部品の破壊を防止することが可能である。
【図面の簡単な説明】
【００４４】
【図１】本発明に係る折りたたみ型携帯端末機の一実施例として折りたたみ型携帯電話機の一例を示す図である。
【図２】図１に示す折りたたみ型携帯電話機におけるヒンジを示す分解斜視図である。
【図３】図１に示す折りたたみ型携帯電話機のＡ−Ａ’線に沿って切断した断面図である。
【図４】図１に示す折りたたみ型携帯電話機の変形例を示す図である。
【符号の説明】
【００４５】
１    第１の筐体
２    第２の筐体
３    ヒンジ
４    表示部
５    入力部
６    受話部
７    送話部
８，８ａ，８ｂ    放電経路変更部
９    ＦＰＣ
１０    第１の基板
１１    第１の内カバー
１２    第１の外カバー
１３    第２の基板
１４    第２の内カバー
１５    第２の外カバー
３１    第２のヒンジ部
３２，３３    第１のヒンジ部
８１，８１ａ，８１ｂ    放電用導体部
８２，８２ａ，８２ｂ    ガイド部
【図１】
0004571901.tif 000002
【図２】
0004571901.tif 000003
【図３】
0004571901.tif 000004
【図４】
0004571901.tif 000005